【事件の表示】
　特願２００３−５６３１３８「通信システムにおけるオーバーヘッドの低減」拒絶査定不服審判事件〔平成１５年　７月３１日国際公開、ＷＯ０３／６３４０３、平成１７年　６月　２日国内公表、特表２００５−５１６４６９〕について、次のとおり審決する。
【結　論】
　本件審判の請求は、成り立たない。
【理　由】
第１　手続の経緯
　本願は、平成１５年１月２２日（優先権主張平成１４年１月２２日、米国）を国際出願日とする出願であって、平成２１年３月１２日付けで拒絶査定がされ（発送日：同年３月１７日）、これに対して同年６月１５日に拒絶査定不服審判が請求がされるとともに手続補正がなされたものである。
　
　
第２　平成２１年６月１５日付けの手続補正についての補正却下の決定
［補正却下の結論］
　平成２１年６月１５日付けの手続補正（以下、「本件補正」という。）を却下する。
　
［理由］
１．本願補正発明
　本件補正により、特許請求の範囲の請求項１は、
「フィールド・ユニットにおいて、オーバーヘッドを低減する方法であって、
　順方向リンクの第１チャネル上でスロット割当制御データを受信すること
であって、前記順方向リンクが前記第１チャネルと第２チャネルを含むこと
　前記スロット割当制御データが前記フィールド・ユニットに指定されているか否かを判断することと、
　前記スロット割当制御データが前記フィールド・ユニットに指定されている場合、順方向リンクの
前記
のチ
　を備える方法。」
と補正された。（下線は、補正箇所を示す。）
　
　上記補正は、請求項１に記載した発明を特定するために必要な事項である「順方向リンクの第１チャネル上でスロット割当制御データを受信すること」と「順方向リンクの第２チャネルまたは逆方向リンクの第２チャネル」において、「順方向リンク」が「第２チャネル」を含む旨の限定を付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法第１７条の２第５項において準用する同法第１２６条第５項の規定に適合するか）について以下に検討する。
　
　
２．引用発明
　原査定の拒絶の理由で引用された、本願の優先日前である平成１３年８月３０日に公開された国際公開第０１／６３７８１号（以下、「引用例」という。）には、図面と共に、次の事項が記載されている（下線は当審にて付与。訳文は、引用例のパテント・ファミリである特表２００３−５２４９８６号公報の段落【００１６】、【００３５】−【００３７】、【００４６】−【００４９】、【００９３】に基づき当審訳。））
　
（１）　「Certain aspects of the present invention reduce co-channel interference and generally increase the throughput capability of a wireless communication system. As previously discussed, an initial power output level of a field unit can be adjusted so that it minimally interferes with others when it initially transmits messages or transmits subsequent messages.  When message transmissions on an allocated channel such as an access channel are minimized, more wireless resources can otherwise be allocated for supporting higher speed data transfers in a wireless communication system. 」（引用例５ページ１９−３０行）
（本発明の一定の態様は、同一チャネル干渉を削減し、一般的には無線通信システムのスループット特性を高める。前述のように、フィールドユニットの初期パワー出力レベルは、それが初期にメッセージを伝送するとき、あるいはそれ以後のメッセージを伝送するときに、他との干渉を最小限にするように調整できる。
アクセスチャネルのような割り当てられたチャネルでのメッセージ伝送が最小限に抑えられるとき、他のより多くの無線資源を、無線通信システムでのより高速なデータ転送をサポートするために割り当てることができ
　
（２）　「Forward link 40 can include a paging channel 41, which is used by base station 20 to inform a field unit 14 of general information such as that one or multiple forward link traffic channels 42 have been allocated to it for forward link data transmissions. Traffic channels 42-1... 42-n on the forward link 40 are used to carry payload information from base station 20 to a corresponding target subscriber unit 14. 
　　　　　Maintenance channel 43 can be used to transmit synchronization and power control information on forward link 40 from base station processor 20 to field units 14. Additionally, paging channel 41 can be used to inform a field unit 14 of allocated traffic channels 52 in the reverse link 50 direction. 
　　　　　Traffic channels 42 of the forward link 40 can be shared among multiple subscriber units 14 based on a Time Division Multiplexing scheme. Specifically, a forward link traffic channel 42 is optionally partitioned into a predetermined number of periodically repeating time slots for transmission of data packets from the base station 20 to multiple subscriber units 14. It should be understood that a given subscriber unit 14 can, at any instant in time, have multiple time slots or no time slots assigned to it for use. In certain applications, an entire time-slotted forward or reverse link traffic channel can also be assigned for use by a particular field unit 14 on a continuous basis. 」（引用例１２ページ２８行−１３ページ２１行）
（
フォワードリンク４０は、ページングチャネル４１を含むことができ、これは、フィールドユニット１４にそれ自体に一つ又は多数のフォワードリンクのトラフィックチャネル４２がフォワードリンクデータ送信のために割り当てられたというような一般情報を通知するために、ベースステーション２０により使用されるもので
フォワードリンク４０上のトラフィックチャネル４２−１、・・・、４２−ｎは、ペイロード情報をベースステーション２０から対応する目標加入者装置１４に搬送するために用いられ
  メンテナンスチャネル４３は、フォワードリンク４０上でベースステーションプロセッサ２０からフィールドユニット１４に同期化およびパワー制御情報を送信するために用いることができる。
付加的に、ページングチャネル４１は、フィールドユニット１４に、リバースリンク５０の方向において割り当てられたトラフィックチャネル５２を通知するために用いることができ
  フォワードリンク４０のトラフィックチャネル４２を、
時分割多重方式（Time Division Multiplexing Scheme）に基づいて
特に、フォワードリンクのトラフィックチャネル４２は、ベースステーション２０から多数の加入者装置１４へのデータパケットの送信のために、所定数の周期的に反復するタイムスロットにオプションとして分割され
　
（３）　「In a reverse link direction, a message transmitted by a field unit 14 to base station 20 on access channel 51 includes unique information such as the identification number of the field unit 14 transmitting the message. In forward link direction, paging channel 41 supports message transmissions from base station 20 to field units 14, where the message transmissions are typically directed to a specific field unit 14. Thus, base station 20 can respond to a field unit 14 that sent a message on access channel 51 by transmitting a reply message to the field unit 14 over paging channel 41. Other link information forwarded on the paging channel 41 can be forwarded to a field unit 14 to establish a formal bi-directional link between base station 20 and field unit 14. 
　　　　　One type of message transmitted on paging channel 41 is an ACK (acknowledgment) message 240. ACK messages 240 are sent by base station 20 to indicate that a message received in a time slot 210 of access channel 51 was properly received. Similar to the feedback messages 230 on feedback channel 45, ACK messages transmitted to a field unit 14 are also feedback messages. However, an ACK message 240 indicates that a previous access request message transmitted by a field unit 14 was properly received. ACK message 240 can also indicate that a formal communication link will be established with the access requesting field unit 14. For instance, traffic channels can be assigned to field unit 14 for transmitting or receiving a data payload. 
　　　・・・（中略）・・・
　　　　　Although other message types can be supported, the messages transmitted in a time slot 210 of access channel 51 are typically access request messages indicating that a field unit 14 would like to receive or transmit data payload information on reverse link traffic channels 52 or forward traffic channels 42. 」（引用例１５ページ３１行−１７ページ１１行）
（リバースリンクの方向において、アクセスチャネル５１上で、ベースステーション２０へフィールドユニット１４により送信されるメッセージは、メッセージを送信するフィールドユニット１４の認識番号の様な独自の(unique)情報を含む。フォワードリンクの方向において、
ページングチャネル４１は、ベースステーション２０からフィールドユニット１４へのメッセージ送信をサポートし、この場合のメッセージ送信は、通常特定のフィールドユニット１４に向けられて
  ページングチャネル４１上を送信されるメッセージの一つのタイプは、ＡＣＫ（確認）メッセージ２４０である。ＡＣＫメッセージ２４０は、ベースステーション２０により送られて、アクセスチャネル５１のタイムスロット２１０に於いて受信されたメッセージが正しく受信されたことを示す。フィードバックチャネル４５上のフィードバックメッセージ２３０と同様に、フィールドユニット１４に送信されるＡＣＫメッセージも又フィードバックメッセージである。しかし、ＡＣＫメッセージ２４０は、フィールドユニット１４により送信された前のアクセス要求メッセージが正しく受信されたことを示す。また、ＡＣＫメッセージ２４０は、正式の通信リンクがアクセスを要求しているフィールドユニット１４と共に確立されることを示すことができる。例えば、トラフィックチャネルを、データペイロードを送信し、又受信するためにフィールドユニット１４に割り当てることができる。
　　　・・・（中略）・・・
  他のメッセージタイプもサポートできるが、
アクセスチャネル５１のタイムスロット２１０に於いて送信されるメッセージは、通常アクセス要求メッセージであり、フィールドユニット１４が、リバースリンクのトラフィックチャネル５２又はフォワードリンクのトラフィックチャネル４２上で、データペイロード情報を、受信又は送信することを望んでいることを示す
　
（４）　「Consider a case where base station 20 transmits a reference signal 710 at an effective radiated power level of 55 dBm. As discussed, this information is sent to field units 14 via message A generally broadcasted on the paging channel 41. If the received power level of the reference signal 710 is 22 dBm, the forward path loss is calculated as 55-22 dBm, or forward path loss = 33 dBm. Based on this path loss, a field unit 14 can estimate a reasonable power output level for a subsequent attempt to transmit a message to base station 20. 」（引用例２８ページ２５行−２９ページ２行）
（ベースステーション２０が基準信号７１０を５５ｄＢｍの有効放射パワーレベルで送信する場合を考える。上記のようにこの情報は、フィールドユニット１４に通常
ページングチャネル４１上でブロードキャストされる
　
　これらの記載から、引用例には、次の発明（以下、「引用発明」という。）が記載されていると認められる。
　
「アクセスチャネルのような割り当てられたチャネルでのメッセージ伝送が最小限に抑えられるとき、他のより多くの無線資源を、無線通信システムでのより高速なデータ転送をサポートするために割り当てることができる、方法であって、
　フォワードリンク４０は、ページングチャネル４１を含むことができ、これは、フィールドユニット１４にそれ自体に一つ又は多数のフォワードリンクのトラフィックチャネル４２がフォワードリンクデータ送信のために割り当てられたというような一般情報を通知するために、ベースステーション２０により使用されるものであり、
　付加的に、ページングチャネル４１は、フィールドユニット１４に、リバースリンク５０の方向において割り当てられたトラフィックチャネル５２を通知するために用いることができ、
　ページングチャネル４１は、ベースステーション２０からフィールドユニット１４へのメッセージ送信をサポートし、この場合のメッセージ送信は、通常特定のフィールドユニット１４に向けられ、
　フォワードリンク４０上のトラフィックチャネル４２−１、・・・、４２−ｎは、ペイロード情報をベースステーション２０から対応する目標加入者装置１４に搬送するために用いられ、
　特に、フォワードリンクのトラフィックチャネル４２は、ベースステーション２０から多数の加入者装置１４へのデータパケットの送信のために、所定数の周期的に反復するタイムスロットにオプションとして分割される、方法。」
　
　
３．対比
　本願補正発明と引用発明とを対比する。
　
（１）　引用発明は、「
アクセスチャネルのような
チャネルでのメッセージ伝送が最小限に抑えられる
　引用発明における「アクセスチャネル」上のメッセージとは、上記２（４）の記載を参照すると、例えば、「フィールドユニット１４」による、双方向のトラフィックチャネル４２、５２上でのデータペイロード情報の送受信の希望を示す「アクセス要求メッセージ」である。よって、引用発明のアクセスチャネル上のメッセージは、本来のデータの伝送のための間接的、付加的なデータである点で、「オーバーヘッド」情報といえる。
　したがって、「アクセスチャネルなどの割り当てられたチャネルでのメッセージ伝送が最小限に抑えられるとき、他のさらに多くの無線資源を、無線通信システムでのより高速なデータ転送をサポートするために割り当てることができる」引用発明の方法は、本願補正発明の「フィールド・ユニットにおいて、オーバーヘッドを低減する方法」に、実質的に対応するといえる。
　
（２）　引用発明の「フォワードリンク４０」と「リバースリンク５０」は、それぞれ、本願補正発明の「順方向リンク」と「逆方向リンク」に対応する。
　引用発明の「フォワードリンク４０」上の「ページングチャネル４１」と「トラフィックチャネル４２」は、本願補正発明の「順方向リンク」上の「第１チャネル」と「第２チャネル」に対応する。
　引用発明の「リバースリンク５０」の方向において割り当てられた「トラフィックチャネル５２」は、本願補正発明の「逆方向リンクのチャネル」に対応する。
　
（３）　引用発明の「ページングチャネル４１」における、「フィールドユニット１４にそれ自体に一つ又は多数のフォワードリンクのトラフィックチャネル４２がフォワードリンクデータ送信のために割り当てられたというような一般情報」の通知と、「リバースリンク５０の方向において割り当てられたトラフィックチャネル５２を通知する」ことは、いずれも「トラフィックチャネル」の「割り当て」の通知であるから、「チャネル割当制御データ」といえる。また、「チャネル」と「スロット」は、いずれも「伝送路」といえる。
　よって、引用発明の「フィールドユニット１４にそれ自体に一つ又は多数のフォワードリンクのトラフィックチャネル４２がフォワードリンクデータ送信のために割り当てられたというような一般情報」の通知や、「リバースリンク５０の方向において割り当てられたトラフィックチャネル５２を通知する」ことは、本願補正発明の「スロット割当制御データ」と、「伝送路割当制御データ」の通知である点で一致するといえる。
　したがって、引用発明において、「フォワードリンク４０」の「ページングチャネル４１」上で、トラフィックチャネルの割当てを通知することは、本願補正発明の「順方向リンク」の「第１チャネル」上で「スロット割当制御データ」を受信することと、「順方向リンクの第１チャネル上で
伝送路
　
（４）　引用発明において、「フィールドユニット１４にそれ自体に
一つ又は多数のフォワードリンクのトラフィックチャネル４２
　同様に、「付加的に、ページングチャネル４１は、フィールドユニット１４に、
リバースリンク５０の方向において割り当てられたトラフィックチャネル５２
　よって、引用発明において「フォワードリンク４０は、ページングチャネル４１を含むことができ、これは、フィールドユニット１４にそれ自体に一つ又は多数のフォワードリンクのトラフィックチャネル４２がフォワードリンクデータ送信のために割り当てられたというような一般情報を通知するためにベースステーション２０により使用されるものであり」、「付加的に、ページングチャネル４１は、フィールドユニット１４に、リバースリンク５０の方向において割り当てられたトラフィックチャネル５２を通知するために用いることができ」ることは、本願補正発明の「前記スロット割当制御データが前記フィールド・ユニットに指定されている場合、順方向リンクの前記第２チャネルまたは逆方向リンクのチャネルにおいてトラフィック・データを通信するように、スロット割当制御データに従って、少なくとも１つのトラフィック・チャネルの少なくとも１つのトラフィックスロットを設定すること」と、「順方向リンクの前記第２チャネルまたは逆方向リンクのチャネルにおいてトラフィック・データを通信するように、伝送路割当制御データに従って、少なくとも１つのトラフィック・チャネルを設定すること」の点で一致するといえる。
　
　したがって、両者の一致点、相違点は以下のとおりである。
　
［一致点］
「フィールド・ユニットにおいて、オーバーヘッドを低減する方法であって、
　順方向リンクの第１チャネル上で伝送路割当制御データを受信することであって、前記順方向リンクが前記第１チャネルと第２チャネルを含むことと、
　順方向リンクの前記第２チャネルまたは逆方向リンクのチャネルにおいてトラフィック・データを通信するように、伝送路割当制御データに従って、少なくとも１つのトラフィック・チャネルを設定することと
　を備える方法。」である点。
　
［相違点１］
　伝送路割当制御データが、本願補正発明は「スロット割当制御データ」であるのに対して、引用発明は、「フィールドユニット１４にそれ自体に一つ又は多数のフォワードリンクのトラフィックチャネル４２がフォワードリンクデータ送信のために割り当てられたというような一般情報」と「リバースリンク５０の方向において割り当てられたトラフィックチャネル５２」を通知することは記載があるものの、このような「スロット割当制御データ」を通知することは、記載がない点。
　
［相違点２］
　本願補正発明は、「前記スロット割当制御データが前記フィールド・ユニットに指定されているか否かを判断すること」を備えるのに対して、引用発明には、このような「スロット割当制御データ」について、「前記フィールド・ユニットに指定されているか否かを判断すること」は、記載がない点。
　
［相違点３］
　本願補正発明は、「前記スロット割当制御データが前記フィールド・ユニットに指定されている場合」、順方向リンクの前記第２チャネルまたは逆方向リンクのチャネルにおいてトラフィック・データを通信するように、「スロット割当制御データ」に従って、少なくとも１つのトラフィック・チャネルの「少なくとも１つのトラフィックスロット」を設定するに対して、引用発明には、「トラフィックチャネル」の設定において、このような「前記スロット割当制御データが前記フィールド・ユニットに指定されている場合」に「スロット割当制御データ」に従って、トラフィック・チャネルの「少なくとも１つのトラフィックスロット」を設定することは、記載がない点。
　
　
４．相違点についての判断
［相違点１について］
　引用発明は、「特に、フォワードリンクのトラフィックチャネル４２は、ベースステーション２０から多数の加入者装置１４へのデータパケットの送信のために、所定数の周期的に反復するタイムスロットにオプションとして分割され」るものであるから、「オプション」として、「トラフィックチャネル４２」を、さらに時分割多重方式に基づく、複数の「タイムスロット」に分割するものと認められる。
　そして、引用発明において、「トラフィックチャネル４２」を、さらに、複数の「タイムスロット」に分割する場合、トラフィック「チャネル」の割当ての情報についても、トラフィックチャネル上の「タイムスロット」の割当ての情報とすることで、「スロット」割当制御データを伝送する、相違点１に係る構成とすることは、当業者が適宜なし得る設計的事項である。
　
［相違点２、相違点３について］
　上記のとおり、引用発明において、「スロット割当制御データ」を伝送することは、当業者が適宜なし得る設計的事項である。
　引用発明において、「ページングチャネル４１」上のメッセージは、「通常
特定のフィールドユニット１４に向けられ
　また、一般に、「ぺージングチャネル」が、メッセージを複数の宛先にブロードキャストするものであることは、上記２（４）に記載されるように技術常識である。
　一般に、特定の端末の識別番号やアドレスを付加することで、特定の端末に向けてメッセージを作成して送信し、受信側では、自端末が指定されているか否か判断することは、普通に行われている。
　したがって、引用発明のフィールドユニット１４において、「前記スロット割当制御データ」が「前記フィールド・ユニットに指定されているか否かを判断する」相違点２に係る構成とするとともに、「前記スロット割当制御データが前記フィールド・ユニットに指定されている場合」、順方向リンクの前記第２チャネルまたは逆方向リンクのチャネルにおいてトラフィック・データを通信するように、「スロット割当制御データ」に従って、少なくとも１つのトラフィック・チャネルの「少なくとも１つのトラフィックスロット」を設定する相違点３に係る構成とすることは、当業者が容易に推考し得ることである。
　
　そして、本願補正発明のように構成したことによる効果も引用発明及び周知技術から予測できる程度のものである。
　
　
５．むすび
　以上のとおり、本願補正発明は、引用発明、及び周知慣用技術に基づいて、当業者が容易に発明をすることができたものであるから、特許法第２９条第２項の規定により特許を受けることができない。
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２１年６月１５日付けの手続補正は上記のとおり却下されたので、本願の請求項１に係る発明は、平成２０年１２月２６日付手続補正書の特許請求の範囲の請求項１に記載された事項により特定されるとおりのものである。（以下、「本願発明」という。）
「フィールド・ユニットにおいて、オーバーヘッドを低減する方法であって、
　順方向リンクの第１チャネル上でスロット割当制御データを受信することと、
　前記スロット割当制御データが前記フィールド・ユニットに指定されているか否かを判断することと、
　前記スロット割当制御データが前記フィールド・ユニットに指定されている場合、順方向リンクの第２チャネルまたは逆方向リンクの第２チャネルにおいてトラフィック・データを通信するように、スロット割当制御データに従って、少なくとも１つのトラフィック・チャネルの少なくとも１つのトラフィックスロットを設定することと
　を備える方法。」
　
２．引用例
　引用例の記載については、上記「第２　２．引用発明」で述べたとおりである。
　
３．対比・判断
　本願発明は、前記「第２　１．本願補正発明」で検討した本願補正発明の「順方向リンクの第１チャネル上でスロット割当制御データを受信することであって、前記順方向リンクが前記第１チャネルと第２チャネルを含むこと」と「順方向リンクの前記第２チャネルまたは逆方向リンクのチャネル」における「順方向リンク」が「第２チャネル」を含む旨の限定を省いたものである。
　そうすると、実質的に、本願発明の構成要件をすべて含み、さらに他の構成要件を付加したものに相当する本願補正発明が、上記「第２　４．相違点についての判断」に記載したとおり、引用発明及び周知慣用技術に基づいて、当業者が容易に発明をすることができたものであるから、本願発明も同様の理由により、引用発明及び周知慣用技術に基づいて、当業者が容易に発明をすることができたものである。　
　
４．むすび
　以上のとおり、本願発明は、引用発明及び周知慣用技術に基づいて、当業者が容易に発明をすることができたものであるから、本願は、特許法第２９条第２項の規定により特許を受けることができない。
　よって、結論のとおり審決する。